【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
組織の部分に縫合糸を配置するための縫合糸推進アッセンブリであって、前記アッセンブリが：
湾曲形状を有する細長い成形部に対して遠位の組織貫通先端を有する少なくとも１の針アッセンブリであって、前記細長い成形部が、張力状態に拘束されたときに弾性的に変形可能であって解放されると湾曲形状をとり、前記縫合糸が結合される針アッセンブリと；
遠位の組織係合面と、少なくとも１の拘束溝と、少なくとも１の回収溝とを有し、それらの各々が前記組織係合面に開口部を有する本体と；を有しており、
前記針アッセンブリの前記細長い成形部が拘束部にあるときに、前記細長い成形部が前記張力状態に変形し、前記細長い成形部が案内セグメント部を通って前進するときに前記細長い成形部が前記湾曲形状をとり、前進を続けると前記細長い成形部が前記拘束溝の前記開口部を通って出て前記湾曲形状になり、
さらに、針回収溝に設けられた縫合糸回収アッセンブリと；
前記組織係合面に対して軸方向に可動な膨張可能な部材と；
を具えており、
前記膨張可能な部材が、縮小した第１の外形と膨張した外形とを有しており、
前記縮小した外形にあるときに、前記膨張可能な部材が前記組織の部分の開口部を通って前進することができ、
前記膨張可能な部材を前記組織の支持面に向けて引き出して、前記組織の部分を前記膨張可能な部材と前記組織の支持面との間で固定し得ることを特徴とする縫合糸推進アッセンブリ。
【請求項２】
前記少なくとも１の針アッセンブリが、少なくとも２の針アッセンブリを具えることを特徴とする請求項１に記載の縫合糸推進アッセンブリ。
【請求項３】
前記拘束溝が、第１の断面形状を具えており、
前記案内部が、第２の断面形状を有しており、
前記第１及び第２の断面形状が異なり、
前記第２の断面形状により、前記針アッセンブリの前記成形部の少なくとも一部が、前記組織の中に入る前に前記案内部に入って前記湾曲形状に戻ることを特徴とする請求項１に記載の縫合糸推進アッセンブリ。
【請求項４】
前記針アッセンブリが、少なくとも前記組織貫通先端を通って延在する針管腔を具え、
前記縫合糸が、前記針管腔の中に取り外し可能に入れ子になっていることを特徴とする請求項１に記載の縫合糸推進アッセンブリ。
【請求項５】
前記縫合糸が前記針アッセンブリの外側にあり、
前記縫合糸の第１の自由端が、前記組織貫通先端で前記針管腔の中に挿入されることを特徴とする請求項４に記載の縫合糸推進アッセンブリ。
【請求項６】
前記縫合糸の第２の自由端が、第２の細長い成形部に対して遠位の第２の組織貫通先端を有する第２の針アッセンブリに結合され、
前記縫合糸の第２の自由端が、前記第２の組織貫通先端で第２の針管腔の中に挿入されることを特徴とする請求項５に記載の縫合糸推進アッセンブリ。
【請求項７】
前記縫合糸が、前記組織貫通先端の中に取り外し可能に前入れされていることを特徴とする請求項１に記載の縫合糸推進アッセンブリ。
【請求項８】
前記縫合糸回収アッセンブリが、前記回収溝の開口部を前記針アッセンブリ及び前記縫合糸の大きさよりも小さくする少なくとも１の歯止め部材を具えており、
前記歯止め部材が、前記針アッセンブリ及び前記縫合糸が第１の方向に移動でき、第２の方向への前記針アッセンブリ及び前記縫合糸の移動を阻止し得るよう付勢されており、
前記回収溝からの前記針アッセンブリの後方移動により、前記歯止め部材が前記回収溝の中で前記縫合糸を押し付け且つ保持することを特徴とする請求項７に記載の縫合糸推進アッセンブリ。
【請求項９】
前記回収溝が、前記本体の一部分のみを通って延在することを特徴とする請求項１に記載の縫合糸推進アッセンブリ。
【請求項１０】
前記成形部の前記湾曲形状が、立体的な湾曲形状を具えることを特徴とする請求項１に記載の縫合糸推進アッセンブリ。
【請求項１１】
前記成形部が、前記針アッセンブリの前進により前記組織貫通先端が複数の場所で組織を貫通するように、複数の湾曲部を具えることを特徴とする請求項１に記載の縫合糸推進アッセンブリ。
【請求項１２】
前記拘束溝が、前記案内部の直径が前記成形部の直径と厳密に一致するように、前記案内部に向かって先細状であることを特徴とする請求項１に記載の縫合糸推進アッセンブリ。
【請求項１３】
前記拘束溝が、前記案内部の直径よりも大きい内径を具えることを特徴とする請求項１に記載の縫合糸推進アッセンブリ。
【請求項１４】
組織の部分の開口を閉塞するための縫合糸推進アッセンブリであって、前記アッセンブリが：
張力状態に拘束されたときに弾性変形可能であって、解放されると湾曲形状とをる遠位の組織貫通先端を有する第１の針アッセンブリと；
前記針アッセンブリの外部にあって、前記第１の針アッセンブリの第１の組織貫通部の針の管腔の中に前入れされる少なくとも一端を有する縫合糸と；
遠位の組織係合面と、少なくとも１の拘束溝と、少なくとも１の回収溝とを有し、その各々が前記組織係合面に開口部を有する本体と；
を具えており、
前記拘束溝が、前記本体を通って延びており、前記張力状態に前記針アッセンブリを保持するための外形を有する少なくとも１の拘束部と、前記拘束溝の開口部に隣接し、案内部を通って前進するときに前記湾曲形状に針アッセンブリを解放するための外形を有し、前進し続けると前記針アッセンブリが前記湾曲形状で前記拘束溝の開口部を出るための案内部とを具えており、
さらに、前記針の回収溝に設けられ、歯止め機構を具える縫合糸回収アッセンブリであって、前記歯止め機構の中を前進するときに前記歯止め機構が前記前入れされた縫合糸及び針アッセンブリと干渉し、前記前入れされた縫合糸及び針アッセンブリの後方移動により、前記歯止め機構が前記縫合糸と係合して前記針回収溝の中で前記縫合糸を保持する
する縫合糸回収アッセンブリと；
前記組織係合面に対して軸方向に移動可能な膨張可能な部材であって、第１の縮小形状及び膨張形状を有し、前記縮小形状にあるときに前記組織の部分の開口を通って前進することができ、膨張したときに前記組織支持面に向けて引き戻して前記組織支持面と前記膨張可能な部材との間で前記組織の部分を固定し得る膨張可能な部材と；
を具えることを特徴とする縫合糸推進アッセンブリ。
【請求項１５】
さらに、前記針アッセンブリが、湾曲形状を有する細長い成形部を具えることを特徴とする請求項１４に記載の縫合糸推進アッセンブリ。
【請求項１６】
さらに、第２の針アッセンブリを具えており、
前記縫合糸の第２の端部が、前記第２の針アッセンブリの第２の組織貫通部の中に前入れされ、
前記縫合糸の第２の中間部が、前記針アッセンブリの外側に沿って延びていることを特徴とする請求項１４に記載の縫合糸推進アッセンブリ。
【請求項１７】
前記膨張可能な部材がシャフトの遠位端に配置されており、
前記シャフトが、前記本体の少なくとも一部を通って延在することを特徴とする請求項１４に記載の縫合糸推進アッセンブリ。
【請求項１８】
前記シャフトが、前記縫合糸推進アッセンブリがガイドワイヤの上を前進し得るように、ガイドワイヤ管腔を具えることを特徴とする請求項１７に記載の縫合糸推進アッセンブリ。
【請求項１９】
前記歯止め機構が、前記針アッセンブリ及び縫合糸の大きさよりも小さくなるよう前記回収溝の直径を小さくし、
前記歯止め機構が、前記針アッセンブリ及び前記縫合糸が第１の方向に移動でき、第２の方向への前記針アッセンブリ及び前記縫合糸の移動を阻止し得るよう付勢されており、
前記回収溝からの前記針アッセンブリの後方移動により、前記歯止め機構が前記回収溝の中で前記縫合糸を押し付け且つ保持することを特徴とする請求項１４に記載の縫合糸推進アッセンブリ。
【請求項２０】
前記回収溝部が、前記本体の一部分のみを通って延在することを特徴とする請求項１４に記載の縫合糸推進アッセンブリ。
【請求項２１】
前記成形部の前記湾曲形状が、立体的な湾曲形状を具えることを特徴とする請求項１４に記載の縫合糸推進アッセンブリ。
【請求項２２】
前記成形部が、前記針アッセンブリの前進により前記組織貫通先端が複数の場所において組織を貫通するように、複数の湾曲部分を具えることを特徴とする請求項１４に記載の縫合糸推進アッセンブリ。
【請求項２３】
前記遠位端が、それに組織を固定するための１又はそれ以上の真空管腔を具えることを特徴とする請求項１４に記載の縫合糸推進アッセンブリ。